(57)【特許請求の範囲】
【請求項１】
回転軸を中心として回転する回転中心部と、前記回転中心部の回転に伴って回転し、指標部を指示する指示部と、を有する指針と、前記回転中心部を回転させる駆動部と、を備える指針式計器であって、
前記回転中心部は、光源からの光を受けて、前記指示部の先端側に向かって帯状の光を出射する光出射部を備え、
前記光出射部は、前記指示部よりも前記駆動部側に位置し、前記指針式計器を正面視したときに、前記指示部の近傍の領域であって前記指示部よりも前記指示部の回転方向における一方側にある領域に向かって、前記帯状の光を出射し、
前記指針は、前記指示部から前記駆動部側の方向に向かって延びており、かつ、前記指針式計器を正面視したときに前記指示部に沿って延びる遮蔽部であって、前記帯状の光のうち、前記指示部の回転方向における一方側から他方側に向かう光を遮蔽する遮蔽部を備え、
前記遮蔽部は、前記指示部の幅方向の一方の側部を覆っており、かつ、前記遮蔽部は、前記指針式計器を正面視したときに前記指示部よりも裏側に向かって延びるとともに、前記遮蔽部の裏側の面がケースに沿う形状に形成されている、
ことを特徴とする指針式計器。
【請求項２】
前記指針の前記駆動部側とは反対側に位置する計器板と、
前記光出射部と対向する反射部と、をさらに備え、
前記指標部は、前記計器板に設けられ、少なくとも一部が透光性を有し、
前記反射部は、前記光出射部が出射した前記帯状の光を、前記指標部に向けて反射させ、前記反射部で反射した前記帯状の光により前記指標部を照明する、
ことを特徴とする請求項１に記載の指針式計器。
【請求項３】
前記反射部は、鏡面として形成される反射面を有し、
前記光出射部が出射した前記帯状の光は、前記反射面で反射して、前記指標部に向かう、
ことを特徴とする請求項２に記載の指針式計器。
【請求項４】
前記反射部は、反射光を拡散光として出射する反射面を有し、
前記光出射部が出射した前記帯状の光は、前記反射面で反射し、拡散されて前記指標部に向かう、
ことを特徴とする請求項２に記載の指針式計器。
【請求項５】
前記光源は、前記駆動部側から前記光出射部に向けて光を出射し、
前記光出射部は、前記光源と対向し、前記光源からの光を受ける受光面と、前記受光面から入射した前記光源からの光を前記指示部の先端側に向けて反射させる傾斜面と、を備え、
前記傾斜面で反射した前記光源からの光が、前記帯状の光として、前記光出射部から出射される、
ことを特徴とする請求項１乃至４のいずれか１項に記載の指針式計器。
【請求項６】
前記帯状の光は、前記指針の回転軸を中心として周方向に広がる扇状の光である、
ことを特徴とする請求項１乃至５のいずれか１項に記載の指針式計器。
【発明の詳細な説明】
【技術分野】
【０００１】
本発明は、指針式計器に関する。
【背景技術】
【０００２】
従来、この種の指針式計器として、例えば、下記特許文献１に記載されたものが知られている。特許文献１に記載された指針式計器は、指針式の速度計であり、速度に応じて回転する透過性を有する指針と、指針を発光させるための指針用発光ダイオードと、透過性を有する透過板と、透過板を発光させるための透過板用発光ダイオードとを備えている。
【先行技術文献】
【特許文献】
【０００３】
【特許文献１】特開２００７−２７１４２６号公報
【発明の概要】
【発明が解決しようとする課題】
【０００４】
しかし、特許文献１に記載の指針式計器では、表示が単調であるという問題があった。
【０００５】
この発明は上記実情に鑑みてなされたものであり、見栄えの良い表示を行うことができる指針式計器を提供することを目的とする。
【課題を解決するための手段】
【０００６】
上記目的を達成するために、本発明に係る指針式計器は、
回転軸を中心として回転する回転中心部と、前記回転中心部の回転に伴って回転し、指標部を指示する指示部と、を有する指針と、前記回転中心部を回転させる駆動部と、を備える指針式計器であって、
前記回転中心部は、光源からの光を受けて、前記指示部の先端側に向かって帯状の光を出射する光出射部を備え、
前記光出射部は、前記指示部よりも前記駆動部側に位置し、前記指針式計器を正面視したときに、前記指示部の近傍の領域であって前記指示部よりも前記指示部の回転方向における一方側にある領域に向かって、前記帯状の光を出射し、
前記指針は、前記指示部から前記駆動部側の方向に向かって延びており、かつ、前記指針式計器を正面視したときに前記指示部に沿って延びる遮蔽部であって、前記帯状の光のうち、前記指示部の回転方向における一方側から他方側に向かう光を遮蔽する遮蔽部を備え、
前記遮蔽部は、前記指示部の幅方向の一方の側部を覆っており、かつ、前記遮蔽部は、前記指針式計器を正面視したときに前記指示部よりも裏側に向かって延びるとともに、前記遮蔽部の裏側の面がケースに沿う形状に形成されている、
ことを特徴とする。
【発明の効果】
【０００７】
本発明によれば、見栄えの良い表示を行うことができる。
【図面の簡単な説明】
【０００８】
【図１】本発明の実施形態に係る指針式計器の正面図である。
【図２】実施形態に係る指針式計器の要部の図１のＡ−Ａ断面図である。
【図３】実施形態に係る指針式計器における光の経路を説明するための断面図である。
【図４】（ａ）は、プリズムＡＳＳＹの正面図である。（ｂ）は、プリズム部の出射面を説明するための図である。
【発明を実施するための形態】
【０００９】
本発明の一実施形態に係る指針式計器１を、図１〜図４を参照して説明する。なお、以下の説明では、指針式計器１を正面視したときの（つまり、ユーザーが指針式計器１を正面から見て指示値を確認する場合の）手前側を「表」といい、奥側を「裏」という。
【００１０】
本実施形態の指針式計器１は、例えば自動車や二輪車等の車両に設けられ、車両に搭載されたエンジンの回転数を指針の回転によって表すことにより、ユーザー（運転者）にエンジン回転数を報知する回転計（タコメータ）である。
【００１１】
まず、指針式計器１の構成について説明する。
指針式計器１は、図２に示すように、表側から順に、文字板２、指針３、ケース４及び回路基板５と、回路基板５に実装された光源６及び駆動部７と、を備えている。
指針３は、駆動部７の動力によって回転する回転中心部３０と、回転中心部３０と共に回転し、文字板２の指標部２０を指示する指示部３ｂと、遮蔽板８と、を有する。
【００１２】
光源６は、例えばＬＥＤ（Light Emitting Diode）から構成されている。光源６は、回路基板５の表側に実装されている。光源６は、指針３の回転軸３ａの軸線を中心とする一の円周上に等間隔に並んで指針３の回動範囲に対応して複数配置されている。これら複数の光源６は（図示例では８つ）、指針３の回転に伴う文字板２の指標部２０の照明のためと、指針３の発光のために設けられている。
【００１３】
駆動部７は、例えば、ステッピングモータから構成され、後述の制御部の制御のもとで、回転軸７ａを回転させる。駆動部７は、回路基板５の裏側に実装されており、回転軸７ａは、回路基板５の基材に設けられた孔を通過して、回路基板５の表側に至っている。回転軸７ａには、中空の回転軸３ａ（指針３の回転中心部３０に設けられる）が連結されている。これにより、駆動部７の回転軸７ａの回転に伴って、指針３が回転する。駆動部７は、制御部の制御のもとで、指針３をエンジン回転数に応じた位置まで回転させる。
【００１４】
回路基板５は、例えば、ガラスエポキシ樹脂（GFRP：Glass fiber reinforced plastics）からなる絶縁性を有する板状の基材に各種配線がプリントされてなる。回路基板５には、指針式計器１の動作を制御する制御部（図示せず）が実装されている。この制御部は、指針式計器１の外部装置（例えば、車両のＥＣＵ（Electronic Control Unit））からエンジンの回転数等の車両情報を取得し、取得した情報に基づいて、光源６を点灯／消灯させたり、駆動部７を動作させる。
【００１５】
文字板２は、指針３の表側に位置し、例えば、ポリカーボネート（polycarbonate）の樹脂から透明に形成された板材に、遮光性の印刷層が形成されてなる。
文字板２は、計測量を報知する指標となる指標部２０を有する。指標部２０は、文字板２において遮光性の印刷層が形成されていない部分（いわゆる抜き文字状の部分）で表現され、光透過窓部２０ａと、目盛部２０ｂと、数値部２０ｄと、を有する。つまり、光透過窓部２０ａ、目盛部２０ｂ、及び数値部２０ｄは、透光性を有する。指標部２０は、文字板２を正面から見て指針３の回転軸３ａの軸線を中心としたほぼ半円の円弧状に設けられている。
数値部２０ｄは、指針３の指示値の目安となる数値を表すものであり、文字板２を表側から見た場合に、時計回り方向に値が増加するように円弧状に配置されている。目盛部２０ｂは、数値部２０ｄの外側に沿って設けられ、数値部２０ｄが表す各数値に対応した目盛を表す。光透過窓部２０ａは、複数の光透過窓２０ｃを備えて数値部２０ｄの外周側に設けられ、且つ、目盛部２０ｂが表す各目盛の隣り合うものの間に光透過窓２０ｄが位置する。
なお、指標部２０の少なくとも一部は、透光性を有する印刷層部分で形成されてもよい（例えば、スモーク印刷）。また、光透過窓部２０ａを、数値部２０ｄの内周側に形成してもよい。また、光透過窓部２０ａを、文字板２を貫通する孔部として形成してもよい。
【００１６】
指針３は、その回転軸３ａを中心として回転する回転中心部３０と、回転中心部３０と一体に形成された指示部３ｂと、不透過部３１と、を備える。
回転中心部３０及び指示部３ｂは、例えば、ＰＭＭＡ（Polymethyl methacrylate）等の樹脂から透明に形成されている。不透過部３１は、例えば、所定の樹脂から黒色に形成され、カバー部３ｃと、指針キャップ３ｆと、遮蔽板８と、を有する。
【００１７】
回転中心部３０は、駆動部７の回転軸７ａと連結された回転軸３ａを有している。これにより、回転中心部３０は、回転軸３ａを中心として回転する。指示部３ｂは、回転中心部３０の外周方向に沿って延びるように設けられ、指標部２０を指示する部分である。
回転中心部３０の指示部３ｂが延びる方向と反対側には、受光面３ｄと、傾斜面３ｅと、が形成されている。受光面３ｄは、回転中心部３０の裏側を向く面であり、光源６からの光を受光する。傾斜面３ｅは、受光面３ｄの表側に位置し、受光面３ｄから入射した光源６からの光を、指示部３ｄの先端方向に向けて反射させる。指示部３ｂの裏面には、例えば白色の箔がホットスタンプされて遮光されている。受光面３ｄから入射した光は、傾斜面３ｅで反射されて指示部３ｂの先端側に導光され、指示部３ｂが発光する。また、指示部３ｂの先端側に導光される光のうち裏面に当たった光や、指示部３ｂの表側から入射した光（例えば太陽光）は、指示部３ｂの裏面で反射して表側に出射される。
【００１８】
不透過部３１を構成するカバー部３ｃは、指示部３ｂの側部を囲むようにして設けられる。指針キャップ３ｆは、回転中心部３０の表側を覆っている。カバー部３ｃと指示部３ｂとは、例えば、一体に形成されている。また、カバー部３ｃと遮蔽板８も一体的に形成されている。遮蔽板８については後述する。
【００１９】
また、回転中心部３０は、プリズムＡＳＳＹ１０を有する。プリズムＡＳＳＹ１０は、例えば、指針３の回転軸３ａを取り囲むように形成され、回転軸３ａと図示しない連結部材で連結されている。従って、プリズムＡＳＳＹ１０も、回転軸３ａの回転に伴って回転する。
図４（ａ）は、プリズムＡＳＳＹ１０を表側から見た正面図である。プリズムＡＳＳＹ１０は、円環状に形成されており、周方向の一部がプリズム部（光出射部）１１となっており、その他の大部分がカラー部１２となっている。また、プリズムＡＳＳＹ１０における、回転軸３ａを挟んでプリズム部１１とは反対側には、導光部１３が形成されている。プリズム部１１とカラー部１２と導光部１３は、インサート成形または２色成形により一体に形成されている。プリズム部１１および導光部１３は、例えば、透明なＰＭＭＡから構成されており、カラー部１２は、例えば、黒色の合成樹脂から構成されている。プリズム部１１は、表側から見ると扇状に形成され、導光部１３は、表側から見てほぼ矩形状に形成されている。
【００２０】
プリズム部１１の横断面（プリズムＡＳＳＹ１０の径方向の断面）は、図２および図３に示すように、略直角台形に形成されており、カラー部１２の横断面は、表裏方向に延びる辺を長辺とする長方形に形成されている。導光部１３の横断面は、表裏方向に延びる辺を長辺とする長方形に形成されている。
【００２１】
プリズム部１１には、受光面１１ａ、傾斜面１１ｂ及び出射面１１ｃが形成されている。プリズム部１１では、図２および図３に示すように、直角台形状の部分の下底が受光面１１ａに、斜辺が傾斜面１１ｂに、下底に垂直な辺が出射面１１ｃに、それぞれ相当する。受光面１１ａ及び出射面１１ｃは透明であり、光が透過可能になっている。傾斜面１１ｂは、透明な鏡面で構成された反射面になっている。このため、プリズム部１１の受光面１１ａから入射した光源６からの光は、傾斜面１１ｂで反射して円環状の外周面の一部の出射面１１ｃから指針３の先端側に扇状の光（帯状の光の一形態）として文字板２と平行に出射される。この扇状の出射光は、後述する反射部４ｃで反射し、文字板２に向かう光となる。これにより、指標部２０が照明される。この出射光による扇状の照明範囲は、図１に示すように、ここでは、光透過窓部２０ａを構成する複数の光透過窓２０ｃのうち２つの光透過窓２０ｃ部分と、２つの光透過窓２０ｃの内側の数値部２０ｄとなる。
また、指針式計器１では、図示しない文字板照明が設けられる。文字板照明は、文字板２の裏側の数値部２０ｄに対応する位置に、図示しない照明用導光体が設けられる。照明用導光体の端面には、図示しない光源が対向して設けられ、端面からの光の入射によって光るように構成されている。照明用導光体が光ることで数値部２０ｄが裏側から照明される。
なお、プリズム部１１の傾斜面１１ｂは、光が透過不能な反射面であっても良い。
【００２２】
プリズム部１１の受光面１１ａは、８つの光源６のうちの少なくとも１つと対向している。前述したように、プリズム部１１は回転軸３ａと共に回転するので、プリズム部１１の受光面１１ａと対向する光源６は、指針３の回転に伴い入れ替わる。
【００２３】
プリズム部１１の出射面１１ｃはシボ面に形成されている。出射面１１ｃを出射面１１ｃの法線方向から見た場合に、図４（ｂ）に示すように、指針３から遠い側（指針３の反時計回り方向側）ほど、シボが濃くなっている。シボが濃いほど光が通りにくく、出射される光が弱く（暗く）なる。これにより、扇状に出射される光は、指針３に近いほど明るくなる。
【００２４】
プリズムＡＳＳＹ１０の導光部１３の裏側には受光面１３ａが形成され、表側には出射面１３ｂが形成されている。受光面１３ａは８つの光源６のうちの少なくとも１つと対向している。受光面１３ａは、プリズム部１１の受光面１１ａに光を出射する光源６とは異なる１つの光源６から受光する。導光部１３は回転軸３ａと共に回転するので、導光部１３の受光面１３ａと対向する光源６は、指針３の回転に伴い入れ替わる。出射面１３ｂは、指針３の裏側に位置する受光面３ｄと対向している。導光部１３が受光面１３ａで受光した光源６からの光は、出射面１３ｂから出射され、出射面１３ｂと対向する受光面３ｄに入射する。受光面３ｄから入射した光は傾斜面３ｅで反射して、指示部３ｂの先端側に導光される。これにより、指針３の指示部３ｂが発光する。
【００２５】
ケース４は、回路基板５の表面側に固定されており、例えば、遮光性のある白色のポリプロピレン樹脂(PP：PolyPropylene)から構成されている。ケース４は、中央部の筒状部４ａと、筒状部４ａの外周側の板状部４ｂと、板状部４ｂの外周側の傾斜した反射部４ｃと、反射部４ｃの外周側の外周部４ｄとを備えている。
ケース４の中央部の筒状部４ａは、円周上の光源６の外側に設けられ、回路基板５の法線方向に沿って延びる筒状に形成されている。筒状部４ａの中央部分に、指針３の回転軸３ａが位置する。筒状部４ａは、光源６の光を、指針３の回転軸３ａの径方向に拡がらないように遮蔽しながら、表側に向けて導出する。
【００２６】
ケース４の傾斜した反射部４ｃは、円錐面で構成されてプリズム部１１の出射面１１ｃと対向して配置される。反射部４ｃは、プリズム部１１の出射面１１ｃから出射された扇状の光を文字板２の方向に向けて（すなわちドライバー側に向けて）反射させる。反射部４ｃの傾斜角度は、入射した光を反射部４ｃで反射して文字板２の表側に向けて効率よく出射できるように設定される。反射部４ｃには、例えば、鏡面仕上げ等の表面処理が施されている。これにより、反射光の輝度を高く保つことができ、効率良く文字板２の指標部２０を照明することができるようになっている。また、反射部４ｃを、例えばシボ面とし、反射光に拡散効果を付与することもできる。シボ面の凹凸の密度と深さを変えることで、反射光に濃淡（明暗）を付けるように変化させることもできる。
ケース４は黒色の樹脂で成形されている。これにより、文字板２を表側からみたときに、光透過窓部２０ａからケース４内が黒く見えるブラックアウト状態となり、コントラストの高い表示となり、より視覚的演出効果に優れた見栄えの良い表示を行うことができる。なお、反射部４ｃはケース４に直接形成する場合のほか、ケース４の表側の面にポリカーボネイトなどのシート材を絞り加工して貼り付けることで、反射部４ｃを形成してもよい。
【００２７】
指針３には、カバー部３ｃと一体に形成された遮蔽板８が設けられている（つまり、カバー部３ｃと指針キャップ３ｆと遮蔽板８とは一体に形成されている）。
遮蔽板８は、図１に示すように、指針式計器１を正面視したときに指示部３ｂに沿って延びている。この実施形態では、遮蔽板８は、指示部３ｂの幅方向の一方の側部を覆っている（指示部３ｂに対して時計周り側。図１中上側）。また、遮蔽板８は、指示部３ｂの裏側に向かって延びており、ケース４の板状部４ｂおよび反射部４ｃとの間にわずかな隙間をあけて沿う形状に形成される。
このように構成される遮蔽板８は、指針式計器１を正面視したとき、プリズム部１１から出射された帯状の光のうち、指示部３ｂの回転方向における一方側から他方側に向かう光を遮蔽する。ここでは、遮蔽板８は、指示部３ｂの反時計周り方向側（図１での下側）から時計周り側（図１での上側）へ向かう光を遮蔽している（光が漏れることを抑制する）。この遮蔽板８によって、プリズム部１１から出射された扇状の光に照明された箇所と、その箇所と指示部３ｂを挟んで反対側の箇所とのコントラストを高めることができるため、視覚的演出効果に優れる。また、指針式計器１を正面視したときに、指示部３ｂと重なる扇状の光の一端部が、遮蔽板８に沿って明確に視認されるため、ユーザが指示部３ｂの指示箇所を視認しやすく、表示が良好で、見栄えが良い。
【００２８】
回路基板５に設けた制御部は、光源６の点灯／消灯を制御する。制御部による制御は、例えば、光源６の点灯／消灯を、ヘッドライトスイッチのＯＮ／ＯＦＦに連動させ、あるいはイグニッションスイッチのＯＮ／ＯＦＦに連動させる。ヘッドライトスイッチのＯＮ／ＯＦＦに連動させた場合には、ヘッドライトの点灯時に光源６が点灯し、イグニッションスイッチのＯＮ／ＯＦＦに連動させた場合には、エンジンの運転中は光源６が常時点灯する。なお、文字板照明の光源も制御部によって同様に制御される。
【００２９】
次に、本実施形態の指針式計器１において、光源６から出射された光による文字板２の部分照明と指針３の発光について説明する。
【００３０】
８つの光源６のうち、プリズムＡＳＳＹ１０のプリズム部１１の受光面１１ａと対向する光源６から出射された光は、プリズム部１１の受光面１１ａに入射する。プリズム部１１の受光面１１ａと導光部１３の受光面１３ａに対向していない他の光源６から出射された光は、ケース４の筒状部４ａとプリズムＡＳＳＹ１０のカラー部１２とにより遮光されるので、指針３の回転軸３ａの周辺の隙間から指針式計器１の外側に漏れる光の量が抑制されている。
【００３１】
プリズム部１１に受光面１１ａから入射した光のうち、透明な鏡面の傾斜面１１ｂに当たった光（図２に矢印ＡＲ１で図示）は、傾斜面１１ｂで反射して出射面１１ｃから出射されてからケース４の反射部４ｃに入射する。ケース４の反射部４ｃで反射された反射光（図２に矢印ＡＲ２で図示）が文字板２の指標部２０に向けて照射される。
【００３２】
プリズム部１１の出射面１１ｃは指針３の回転軸３ａの軸線を中心とする円弧状に形成されているので、出射面１１ｃから出射される帯状の光は回転軸３ａの軸線を中心として扇状に拡がる。その角度はプリズム部１１の中心角に応じて定まる。前述したように、出射面１１ｃはシボ面とされており、シボの濃さは指針３に遠いほど濃くなっているので、出射面１１ｃから出射される光は、指針３に近いほど明るい。
【００３３】
プリズム部１１の出射面１１ｃから出射されてケース４の反射部４ｃに入射する光は、ケース４の反射部４ｃで文字板２に向かって反射され、文字板２の表側から見ると、扇状に拡がりながら出射される。これにより、図１に示すように、表側から見ると、指示部３ｂの反時計方向側で、文字板２における、２つの光透過窓２０ｃ、その間の目盛部２０ｂ、及び、この目盛部２０ｂの内側の数値部２０ｄ（図１では、数値「１」、「２」の箇所）が扇状に照明される。プリズムＡＳＳＹ１０は指針３と一体に回転するので、指針３の回転に伴い文字板２の指標部２０を照明する扇状の照明部分も回転する。なお、文字板２は、図示しない文字板照明により、照明用導光体が光ることで数値部２０ｄが裏側から照明される。数値部２０ｄは扇状の出射光で照明しても照明しなくともいずれでも良い。
【００３４】
一方、指針３の受光面３ｄは、プリズム部１１の受光面１１ａに出射する光源とは異なる１つ（あるいは複数）の光源６から受光する。光源６から出射された光（図３に矢印ＡＲ３で図示）は、導光部１３に導光されて指針３の受光面３ｄに入射する。指針３の受光面３ｄに入射した光源６からの光は、指針３の傾斜面３ｅで反射し、指示部３ｂの先端方向に導光される。これにより、指針３の指示部３ｂが発光する。
なお、前述のように、文字板２では、指標部２０が抜き文字状で形成されているため、指針式計器１を正面視した場合、指針３のうち、指示部３ｂの先端部のみが指標部２０（特に、光透過窓部２０ａ）を透過して視認される。これにより、指示部３ｂの先端部と帯状の照明が計測値に応じて回転するように視認されるため、指針式計器１は、視覚演出効果に優れ、見栄えの良い表示となる。
【００３５】
以上に説明した指針式計器１は、回転軸３ａを中心として回転する回転中心部３０と、回転中心部３０の回転に伴って回転し、指標部２０を指示する指示部３ｂと、を有する指針３と、回転中心部３０を回転させる駆動部７と、を備える指針式計器１であって、回転中心部３０は、光源６からの光を受けて、指示部３ｂの先端側に向かって帯状の光を出射するプリズム部１１（光出射部の一例）を備え、プリズム部１１は、指示部３ｂよりも駆動部７側に位置し、指針式計器１を正面視したときに、指示部３ｂの近傍の領域であって指示部３ｂよりも指示部３ｂの回転方向における一方側にある領域に向かって、前記帯状の光を出射し、指針３は、指示部３ｂから駆動部７側の方向に向かって延びており、かつ、指針式計器１を正面視したときに指示部３ｂに沿って延びる遮蔽板８（遮蔽部）であって、前記帯状の光のうち、前記指示部の回転方向における一方側から他方側に向かう光を遮蔽する遮蔽板８（遮蔽部の一例）を備える。
【００３６】
また、指針式計器１は、指針３の駆動部７側とは反対側に位置する文字板２（計器板の一例）と、プリズム部１１と対向する反射部４ｃと、をさらに備え、指標部２０は、文字板２に設けられ、少なくとも一部が透光性を有し、反射部４ｃは、プリズム部１１が出射した前記帯状の光を、指標部２０に向けて反射させ、反射部４ｃで反射した前記帯状の光により指標部２０を照明する。
【００３７】
また、反射部４ｃは、鏡面として形成される反射面を有し、プリズム部１１が出射した前記帯状の光は、前記反射面で反射して、指標部２０に向かうようにしてもよい。
【００３８】
また、反射部４ｃは、反射光を拡散光として出射する反射面を有し、プリズム部１１が出射した前記帯状の光は、前記反射面で反射し、拡散されて指標部２０に向かうようにしてもよい。
【００３９】
また、光源６は、駆動部７側からプリズム部１１に向けて光を出射し、プリズム部１１は、光源６と対向し、光源６からの光を受ける受光面１１ａと、受光面１１ａから入射した光源６からの光を指示部３ｂの先端側に向けて反射させる傾斜面１１ｂと、を備え、傾斜面１１ｂで反射した光源６からの光が、前記帯状の光として、プリズム部１１から出射される。
【００４０】
なお、本発明は、説明した実施形態に限定されることなく、種々の態様で実施することができる。上記の実施形態では、表側から見たときに、指示部３ｂの回転方向の反時計方向側で文字板２の指標部２０が光るようにしたが、指示部３ｂの回転方向時計方向側で指標部２０が光るようにしてもよい。その場合には、遮蔽板８は指針３の反時計方向側に一体に設ける。こうすることで、数値部２０ｄが示す数値が小さくなる側の、照明している部分と照明しない部分とのコントラストを高め、視覚的演出効果に優れた表示を行うことができ、例えば燃料残量を報知する指針式計器等のように指標が小さくなる場合によい。
【００４１】
また、遮蔽板８は、指針キャップ３ｆやカバー部３ｃと一体的に形成されておらず、別体であってもよい。遮蔽板８が別体である場合、遮蔽板８を、指針キャップ３ｆやカバー部３ｃに取り付け可能に構成したり、指示部３ｂに直接取り付け可能に構成することができる。
【００４２】
また、導光部１３を指針３が延びる方向と反対側の位置に設けなくてもよく、上記に説明した位置とは指針３の回転軸３ａの軸線を対象として反対側に設けてもよい。その場合には、プリズム部１１は、導光部１３と干渉しないような位置に設けられる。
【００４３】
また、複数の光源６のうち、文字板２の照明用のものと、指針３の発光用のものとを兼用してもよく、プリズム部１１と導光部１３とを接近させて光源の数を減少できる。また、兼用しなければ、照明と発光の色を変えたり、指針の回転位置によって発光や照明の色を変えることも可能となる。
【００４４】
また、実施形態では、光源６の光を反射する反射部としてプリズム部１１を用いたが、光源６からの光を指針３の先端側に向かう所定の幅を持つ光となるように反射するものであればよく、例えば、凸面鏡を用いてもよい。
【００４５】
また、実施形態では、プリズム部が透明であるが、透過性を有していればよく、着色や模様による視覚的演出効果を得られるようにしてもよい。
【００４６】
また、実施形態では、指針式計器１を車両用の回転計として説明したが、これに限られない。指針式計器１を、例えば、燃料の残量を表示する燃料計や空圧機器用の空気圧、空気流量を表示する計器として構成してもよい。
【符号の説明】
【００４７】
１    指針式計器
２    文字板
３    指針
３０  回転中心部
３１  不透過部
３ａ  回転軸
３ｂ  指示部
３ｃ  カバー部
３ｄ  受光面
３ｅ  傾斜面
３ｆ  指針キャップ
４    ケース
４ａ  筒状部
４ｂ  板状部
４ｃ  反射部
４ｄ  外周部
５    回路基板
６    光源
７    駆動部
７ａ  回転軸
８    遮蔽板
１０  プリズムＡＳＳＹ
１１  プリズム部（光出射部）
１１ａ  受光面
１１ｂ  傾斜面
１１ｃ  出射面
１２  カラー部
１３    導光部
１３ａ  受光面
１３ｂ  出射面
２０    指標部
２０ａ  光透過窓部
２０ｂ  目盛部
２０ｃ  光透過窓
２０ｄ  数値部
【図１】
0005851471.tif 000002
【図２】
0005851471.tif 000003
【図３】
0005851471.tif 000004
【図４】
0005851471.tif 000005